(57)【要約】【課題】食器洗い機の表示部の表示素子の数が少なくても全ての異常の内容を表示することを可能とし、使用者や点検作業者に対して詳細な異常の内容を報知する。【解決手段】運転操作を設定するコース選択スイッチ８と設定状態を表示素子により表示する表示部９とを有する操作部４と、コース選択スイッチ８による運転設定に基づいて運転を制御するとともに、表示部９の表示素子を駆動する制御部５とを備え、制御部５は、運転中の異常有無を監視し、異常が発生した場合に表示部９により異常報知を行うように構成され、異常報知を行う時には、多数ある異常の内容を大まかに分類した大分類と大分類をさらに細分化した小分類のように多段階に分類して扱い、最初に大分類の内容を表示し、引き続いて小分類の内容を分類の段階に応じて順次表示するように構成された食器洗い機。【選択図】図４
2014204922.tif 000002
【特許請求の範囲】
【請求項１】
運転操作を設定するスイッチと設定状態を表示素子により表示する表示部とを有する操作部と、前記スイッチによる運転設定に基づいて運転を制御するとともに、前記表示部の表示素子を駆動する制御部とを備え、前記制御部は、運転中の異常有無を監視し、異常が発生した場合に前記表示部により異常報知を行うように構成され、前記異常報知を行う時には、多数ある異常の内容を大まかに分類した大分類と前記大分類をさらに細分化した小分類のように多段階に分類して扱い、最初に前記大分類の内容を表示し、引き続いて前記小分類の内容を分類の段階に応じて順次表示するように構成された食器洗い機。
【請求項２】
前記制御部は、前記異常報知を行う時には、最初に前記大分類の内容を表示し、所定の時間をおいて前記小分類の内容を分類の段階に応じて順次表示し、これらの一連の表示を繰り返すように構成された請求項１記載の食器洗い機。
【請求項３】
前記制御部は、前記異常報知を行う時には、最初に前記大分類の内容を表示し、その表示中に所定のスイッチによる入力を受けて前記小分類の内容を表示し、さらに分類の段階に応じて所定のスイッチによる入力を受けて次の分類を順次表示するように構成された請求項１記載の食器洗い機。
【発明の詳細な説明】
【技術分野】
【０００１】
本発明は食器洗い機に関するもので、特に表示素子による異常報知に関する。
【背景技術】
【０００２】
従来、食器洗い機の多機能化に対応して、その表示部において、ＬＥＤなどによる表示素子の数が多い食器洗い機が市場に提供されてきた。このような機器においては、この表示素子によって表示される通常の内容のほかに、多数ある表示素子の組み合わせによる表現によって、各種の内容を報知することが行われている（例えば、特許文献１参照）。
【０００３】
図６は、特許文献１に記載された引き出しタイプの食器洗い機の側面断面図である。図６において、食器洗い機はシステムキッチンＫに収容されている。食器洗い機は、前方に開口を有する筐体１０１の内部に洗浄槽１０２が設けられている。洗浄槽１０２は、前方の開口を覆う扉体１０３を有し、内部に食器類１０４を収容する上下２段の食器かご１０５が配置され、上面が解放されている。食器かご１０５の下方には洗浄ノズル１０６が回転自在に設けられ、洗浄槽１０２内に溜められた洗浄水は、洗浄ポンプ１０７によって圧送されて洗浄ノズル１０６より噴射し、食器類１０４を洗浄する。また、洗浄槽１０２は、左右外側の側部下方にレール１０８を有し、前後方向へ平行移動ができるようにして筐体１０１に支持されている。
【０００４】
扉体１０３の上部には操作部１０９が設けられ、使用者により食器洗浄の運転設定が行われる。制御部１１０が洗浄槽１０２と扉体１０３との間に設けられ、制御部１１０は、運転設定に基づいて、洗浄工程、すすぎ工程、乾燥工程等の一連の運転を制御する。また、制御部１１０は、後述する表示部１１２の表示素子を駆動したり、運転中の異常有無を監視したりもしている。
【０００５】
図７は、従来の食器洗い機の操作部１０９の正面図で、複数の操作スイッチ１１１と、複数の表示素子であるＬＥＤによりコース名等が表示される表示部１１２とを備えている。通常、表示部１１２は、個々のＬＥＤの点灯により使用者が運転設定したコースを表示する。しかし、点検や修理の時には、点検作業者の操作により、運転積算時間を表示することが特許文献１に開示されている。具体的には、「たとえば、表示方法として運転積算時間が１０００時間以上の場合、乾燥ランプを点灯し、２０００時間以上の場合、予約のランプを点灯し、４０００時間以上の場合は、標準のランプを点灯し、８０００時間以上の場合は、少量のランプを点灯するようにすれば、４つの表示ランプの点灯消灯の組み合わせにより運転積算時間を表示することができる。また、少量と乾燥のランプが点灯、他は消灯の場合の運転積算時間は、９０００時間以上１００００時間未満である。さらに、表示ランプの数を増やせば運転積算時間を細かく表示することも可能である。」と記載されている。
【０００６】
上記のような表示部の他の利用方法として、機器の使用中に発生する不具合の状況を報知する異常報知が考えられる。図８は、従来の他の食器洗い機の正面図で、前面の扉体１１３の構成を示す。扉体１１３は、上部中央に引出し取手部１１４を備え、引出し取手部１１４の左側に排気口１１５、右側に操作部１１６を備える。図９（ａ）、（ｂ）は、いずれも電源スイッチ１１７、スタートスイッチ１１８、コース選択スイッチ１１９の３つの操作スイッチ１１１および表示部１２０を有する操作部１１６を示し、図９（ａ）と図９（ｂ）とは表示部１２０の表示素子数が異なる。図９（ａ）においては６種類のコース表示で６つのＬＥＤを有し、図９（ｂ）においては２種類のコース表示で２つのＬＥＤを有している。図９（ｂ）は、機能の多様化より、簡単操作で使いやすさを追求した機器に
備えられたものである。
【０００７】
図１０は異常の内容と異常の表示を示す図で、異常の種類と異常の内容を分類し、それぞれの異常の内容に対して、表示素子数の違いによるに表示方法を示す。図９（ａ）のように表示素子が多い場合は、表示素子の点滅組み合わせにより全ての異常を区別して報知することが可能である。一方、図９（ｂ）のように表示素子が２つだけで少ない場合は、表示素子の点滅組み合わせが限定されるため、２つとも同時に点滅する全点滅として、点滅回数が認識できる程度の点滅で表示し、この表示を所定の間隔をおいて繰り返して表示している。この場合、報知させたい異常の内容の数に対応して点滅回数を増やすこともできるが、実際には点滅回数の目視判断ができる範囲の適度な回数とし（図１０では、点滅２回〜９回および連続点滅）、異常報知する内容を分類して表示させている。
【先行技術文献】
【特許文献】
【０００８】
【特許文献１】特開２０１１−２５１０３４号公報
【発明の概要】
【発明が解決しようとする課題】
【０００９】
しかしながら、前記従来の構成では、図９（ｂ）に示される表示部のように表示素子が少ない場合には、点滅の組み合わせなどの実用的な表示方法が限られ、異常報知する内容の多さに対して、表示できる項目数が限られる。そのような場合、ある種の異常の種類おいては細分化されるべき異常の内容を、大まかに分類した異常の種類で表示することになる。例えば、図１０のＤ異常の場合、部品ｃの異常は「オープンで異常」の場合と「ショートで異常」の場合の２種類があるが、いずれの場合に対しても５回の全点滅という同じ表示になってしまう。
【００１０】
このように、表示部で異常が報知されても大まかに分類された情報の表示になってしまうことで、使用者や点検作業者に対して詳細な異常の内容が伝わらず、使用者や点検作業者が機器の症状の的確な情報が得られずに迅速な対応を行うことができないという課題を有していた。
【００１１】
本発明は、前記従来の課題を解決するもので、ＬＥＤ等による表示素子により異常を報知する食器洗い機において、異常報知する内容を先ずは大まかに分類された異常の情報にて一回目の表示を行い、その異常の内容が細分化される場合は、二回目に細分化された内容の情報を表示させるように構成することで、機器の使用者や点検作業者に対して異常の内容を詳細にかつ的確に報知できる食器洗い機を提供することを目的とする。
【課題を解決するための手段】
【００１２】
前記従来の課題を解決するために、本発明の食器洗い機は、運転操作を設定するスイッチと設定状態を表示素子により表示する表示部とを有する操作部と、前記スイッチによる運転設定に基づいて運転を制御するとともに、前記表示部の表示素子を駆動する制御部とを備え、前記制御部は、運転中の異常有無を監視し、異常が発生した場合に前記表示部により異常報知を行うように構成され、前記異常報知を行う時には、多数ある異常を大まかに分類した大分類と前記大分類をさらに細分化した小分類のように多段階に分類して扱い、最初に前記大分類の内容を表示し、引き続いて前記小分類の内容を分類の段階に応じて順次表示するように構成されたものである。
【００１３】
このように複数回の表示で細分化された異常の内容を表示する構成により、表示素子の数が少なくても全ての異常の内容を表示することが可能になり、使用者や点検作業者に対して詳細な異常の内容を報知することができる食器洗い機を提供することができる。
【発明の効果】
【００１４】
本発明の食器洗い機は、表示素子の数が少なくても全ての異常の内容を表示することが可能になり、使用者や修理者に対して詳細な異常の内容を報知することができる。
【図面の簡単な説明】
【００１５】
【図１】本発明の実施の形態１における食器洗い機の正面図
【図２】図１に示される食器洗い機の要部拡大図
【図３】本発明の実施の形態１における食器洗い機の異常の内容と異常の表示を示す図
【図４】本発明の実施の形態１における食器洗い機の異常報知のフローチャート
【図５】本発明の実施の形態２における食器洗い機の異常報知のフローチャート
【図６】従来の食器洗い機の側面断面図
【図７】同食器洗い機の要部拡大図
【図８】従来の他の食器洗い機の正面図
【図９】（ａ）従来の他の食器洗い機の要部拡大図（ｂ）従来の他の食器洗い機の要部拡大図
【図１０】従来の食器洗い機の異常の内容と異常の表示を示す図
【発明を実施するための形態】
【００１６】
第１の発明の食器洗い機は、運転操作を設定するスイッチと設定状態を表示素子により表示する表示部とを有する操作部と、前記スイッチによる運転設定に基づいて運転を制御するとともに、前記表示部の表示素子を駆動する制御部とを備え、前記制御部は、運転中の異常有無を監視し、異常が発生した場合に前記表示部により異常報知を行うように構成され、前記異常報知を行う時には、多数ある異常の内容を大まかに分類した大分類と前記大分類をさらに細分化した小分類のように多段階に分類して扱い、最初に前記大分類の内容を表示し、引き続いて前記小分類の内容を分類の段階に応じて順次表示するように構成されたものである。
【００１７】
この構成により、異常が発生した場合の異常報知の情報において、複数回の表示で細分化された異常の内容を表示する構成により、表示素子の数が少なくても全ての異常の内容を表示することが可能になり、使用者や点検作業者に対して詳細な異常の内容を報知することができる食器洗い機を提供することができる。
【００１８】
第２の発明は、第１の発明において、前記制御部は、前記異常報知を行う時には、最初に前記大分類の内容を表示し、所定の時間をおいて前記小分類の内容を分類の段階に応じて順次表示し、これらの一連の表示を繰り返すように構成されたものである。この構成により、使用者や点検作業者は繰り返して順次表示される異常報知から詳細な異常の内容を取得することができ、機器の症状を理解することができる。
【００１９】
第３の発明は、第１の発明において、前記制御部は、前記異常報知を行う時には、最初に前記大分類の内容を表示し、その表示中に所定のスイッチによる入力を受けて前記小分類の内容を表示し、さらに分類の段階に応じて所定のスイッチによる入力を受けて次の分類を順次表示するように構成されたものである。この構成により、使用者や点検作業者は自ら所定のスイッチによる入力を行うタイミングで順次表示される異常報知から詳細な異常の内容を取得することができ、機器の症状を理解することができる。
【００２０】
以下、本発明の実施の形態について、図面を参照しながら説明する。なお、本実施の形態によって本発明が限定されるものではない。
【００２１】
（実施の形態１）
図１は本発明の実施の形態１における食器洗い機の正面図で、引き出しタイプの食器洗い機の扉体１を示す。図２は図１に示される食器洗い機の要部拡大図で、扉体１の上部に設けられた操作部４を示す。なお、食器洗い機としての基本的な構成は従来と同様であり、図６に示される。
【００２２】
図１において、扉体１は、上部中央に引出し取手部２を備え、引出し取手部２の左側に排気口３、右側に操作部４を備える。扉体１の裏側には制御部５が設けられている。図２において、操作部４は、電源スイッチ６、スタートスイッチ７、コース選択スイッチ８および表示部９を有する。表示部９は、使用者がコース選択スイッチ８により運転設定した標準コースか節電コースかのいずれかを、表示素子であるＬＥＤにより表示する。ここでは、表示素子は２つしか使用されておらず、比較的少ないものである。なお、ＬＥＤによる表示の方法は限定されるものではなく、図２ではＬＥＤが文字を裏側から照らしているが、文字の前にＬＥＤを点灯させるなど、他の方法でもよい。
【００２３】
制御部５は、運転設定に基づいて、洗浄工程、すすぎ工程、乾燥工程等の一連の運転を制御する。また、制御部５は、表示部９のＬＥＤを駆動したり、運転中の異常有無を監視したりもしている。そして、運転中に異常が発生した場合には、異常の内容に対応した所定の動作を行うとともに、表示部９により異常報知を行うように構成されている。
【００２４】
しかし、本実施の形態１における食器洗い機の表示部９のＬＥＤは、図２に示されるように２個しかない上、報知すべき異常の内容が図３のように１３項目あることから、単純に２個のＬＥＤの点灯や点滅の組み合わせでは表示しきれない。本発明では、図３の異常の表示の一回目の表示欄にあるように、異常の種類を先ず大まかに分類して９種類の点滅のさせ方により表示を行う。次に、図３の異常の表示の二回目の表示欄にあるように、詳細な異常の内容に対応して２種類の点滅のさせ方により表示を行う。
【００２５】
図３について詳細に説明する。図３は、本発明の実施の形態１における食器洗い機の異常の内容と異常の表示を示す図で、異常の段階的な分類と、詳細な異常の内容を表示するための段階的な表示を示す。図３において、「異常の種類」は、多数ある異常を９種類に分類した大分類である。「異常の内容」は、大分類の中で細分化できる異常を分類した小分類である。「異常の表示」において、「一回目の表示」は大分類、すなわち異常の種類を報知するための表示部９の表示である。一回目の表示では、区切りとして「節電」のＬＥＤを１秒点灯したのち、２つのＬＥＤを同時に点滅させる全点滅を２回〜９回および連続（任意の多回数）の９種類で行う。「二回目の表示」は小分類、すなわち詳細な異常の内容を報知するための表示部９の表示である。二回目の表示では、区切りとして「標準」のＬＥＤを１秒点灯したのち、全点滅を１回または２回行う。このように、２段階に分類された異常の内容を２段階にわたって順次表示することにより、詳細な異常の内容を使用者や点検作業者に対して報知することが可能となる。
【００２６】
なお、図３には記載されていないが、二回目の小分類の細分化が３つ以上あれば、それに応じて全点滅の回数を増やせばよい。また、小分類をさらに細分化する必要があれば、三回目以降の表示を作成し、一回目から三回目以降まで順次表示するようにすれば、詳細な異常の内容を使用者や点検作業者に対して報知することが可能となる。
【００２７】
以上のように構成された、表示部に搭載された表示素子数が比較的少ない食器洗い機について、以下その動作、作用を、図４のフローチャートを用いて説明する。図４は本発明の実施の形態１における食器洗い機の異常報知のフローチャートである。このフローチャートは、停止中または運転中において、異常を検知するところから開始する。停止中または運転中において、制御部５は異常の有無を常時監視しており、種々の信号により異常検
知の有無を判断している（ＳＴＥＰ１）。制御部５は、異常を検知すると（ＳＴＥＰ１のＹｅｓ）、図３の異常の種類およびその内容により異常報知する項目を決定する（ＳＴＥＰ２）。次に、決定された項目の一回目の表示を行うが、９種類のうちいずれかの点滅をさせる前に、「節電」のＬＥＤを１秒間点灯後、すべてのＬＥＤを０．５秒間消灯する（ＳＴＥＰ３）。
【００２８】
その後、決定された項目の一回目の表示を行う（ＳＴＥＰ４）。次に、すべてのＬＥＤを１秒間消灯後、「標準」のＬＥＤを１秒間点灯させ、さらに、すべてのＬＥＤを０．５秒間消灯する（ＳＴＥＰ５）。その後、決定された項目の二回目の表示を行う（ＳＴＥＰ６）。その後、すべてのＬＥＤを１秒間消灯（ＳＴＥＰ７）後、電源スイッチ６の入力がなければＳＴＥＰ３に戻り、異常内容に対応して決定された項目の一回目の表示と二回目の表示を繰り返し行う。例えば、図３のＥ１異常の場合、ＳＴＥＰ４において全点滅６回で表示され、ＳＴＥＰ６において全点滅１回で表示される。また、異常の種類がＣ異常の場合を例にとれば、ＳＴＥＰ４において全点滅４回で表示され、ＳＴＥＰ６において表示なしとなる。最終的には、電源スイッチ６を入力することで（ＳＴＥＰ８のＹｅｓ）、異常報知モードから抜け出て電源が切れる（ＳＴＥＰ９）。
【００２９】
以上のように、本実施の形態１の食器洗い機においては、異常を検知した場合に、異常の内容を大まかに分類した異常報知の表示を一回目に表示させ、続けて細分化された内容の表示を２回目に行い、これらの一連の表示を繰り返すように構成されたことにより、表示素子数が少ない場合でも、多くの異常の内容を全て表示することが可能になり、使用者や点検作業者に対して詳細な異常の内容を報知することができる。そして、使用者や点検作業者は、繰り返して順次表示される異常報知から詳細な異常の内容を取得することができ、機器の症状を理解することができる。
【００３０】
（実施の形態２）
本発明の実施の形態２における食器洗い機の基本的な構成は、実施の形態１に記載された食器洗い機の構成と同じである。異なるのは、制御部が異常報知を行う時に、最初に大分類の内容を表示した後、次に小分類の内容を分類の段階に応じて順次表示するための方法とタイミングで、フローチャートが異なる。
【００３１】
以下その動作、作用について、図５のフローチャートを用いて説明する。図５は本発明の実施の形態２における食器洗い機の異常報知のフローチャートである。このフローチャートは、停止中または運転中において、異常を検知するところから開始する。停止中または運転中において、制御部５は異常の有無を常時監視しており、種々の信号により異常検知の有無を判断している（ＳＴＥＰ１）。制御部５は、異常を検知すると（ＳＴＥＰ１のＹｅｓ）、図３の異常の種類およびその内容により異常報知する項目を決定する（ＳＴＥＰ２）。次に、決定された項目の一回目の表示を行う（ＳＴＥＰ３）。次に、異常報知をオフするキーである電源スイッチ７以外で、例えばコース選択スイッチ８が押され（ＳＴＥＰ４のＹｅｓ）、異常内容が細分化された内容であれば（ＳＴＥＰ５のＹｅｓ）、決定された項目の二回目の表示を行う（ＳＴＥＰ６）。
【００３２】
例えば、図３のＥ１異常の場合、ＳＴＥＰ３において全点滅６回で表示され、ＳＴＥＰ６において全点滅１回で表示される。また、異常の種類がＣ異常の場合を例にとれば、ＳＴＥＰ３において全点滅４回で表示され、コース選択スイッチ８が押されても（ＳＴＥＰ４のＹｅｓ）、異常内容が細分化された内容でないため（ＳＴＥＰ５のＮｏ）、表示は消灯となる（ＳＴＥＰ７）。最終的には、電源スイッチ６を入力することで（ＳＴＥＰ８のＹｅｓ）、異常報知モードから抜け出て電源が切れる（ＳＴＥＰ９）。
【００３３】
以上のように、本実施の形態２の食器洗い機においては、異常を検知した場合に、異常
の内容を大まかに分類した異常報知の表示を一回目に表示させ、その後、異常報知表示をオフさせない所定のスイッチが入力されることで、細分化された内容の表示を二回目に行うように構成されたことにより、表示素子数が少ない場合でも、多くの異常の内容を全て表示することが可能になり、使用者や点検作業者に対して詳細な異常の内容を報知することができる。そして、使用者や点検作業者は、自ら所定のスイッチによる入力を行うタイミングで順次表示される異常報知から詳細な異常の内容を取得することができ、機器の症状を理解することができる。
【産業上の利用可能性】
【００３４】
以上のように、本発明にかかる食器洗い機は、複数回の表示で細分化された異常の内容を表示する構成により、表示素子の数が少なくても全ての異常の内容を表示することが可能になり、使用者や点検作業者に対して詳細な異常の内容を報知することができるので、特に、機能の多様化より、表示素子を少なくして簡単操作で使いやすさを追求した機器に有用である。
【符号の説明】
【００３５】
４  操作部
５  制御部
８  コース選択スイッチ
９  表示部
【図１】
2014204922.tif 000003
【図２】
2014204922.tif 000004
【図３】
2014204922.tif 000005
【図４】
2014204922.tif 000006
【図５】
2014204922.tif 000007
【図６】
2014204922.tif 000008
【図７】
2014204922.tif 000009
【図８】
2014204922.tif 000010
【図９】
2014204922.tif 000011
【図１０】
2014204922.tif 000012